(57)【要約】【課題】使い勝手の良い万年カレンダーを提供する。【解決手段】７つの曜日を表示する曜日表示部８を有すると共に曜日表示部８の下方位置に複数の窓部２２が形成された仕切り板９を有するベース板１０を備え、ベース板１０の仕切り板９の裏面側に上方から差し込んで取着される第１〜第７の短冊状日付表示部材１，２，３，４，５，６，７を具備し、第１〜第７日付表示部材１，２，３，４，５，６，７に１から３１までの数字から公差が７と成る数字を取り出して等差数列を成すように並べた７種類の数字群Ｓが表記され、かつ、ベース板１０に第１〜第７日付表示部材１，２，３，４，５，６，７を上方から差し込むことで数字群Ｓを暦に対応させて曜日表示部８の下方の窓部２２に表示するように構成している。【選択図】図１
2013180415.tif 000002
【特許請求の範囲】
【請求項１】
７つの曜日を表示する曜日表示部（８）を有すると共に該曜日表示部（８）の下方位置に複数の窓部（２２）が形成された仕切り板（９）を有するベース板（１０）を備え、該ベース板（１０）の上記仕切り板（９）の裏面（９Ｂ）側に上方から差し込んで取着される第１〜第７の短冊状日付表示部材（１）（２）（３）（４）（５）（６）（７）を具備し、
該第１〜第７日付表示部材（１）（２）（３）（４）（５）（６）（７）に１から３１までの数字から公差が７と成る数字を取り出して等差数列を成すように並べた７種類の数字群（Ｓ）が表記され、かつ、上記ベース板（１０）に上記第１〜第７日付表示部材（１）（２）（３）（４）（５）（６）（７）を上方から差し込むことで該数字群（Ｓ）を暦に対応させて上記曜日表示部（８）の下方の上記窓部（２２）に表示するように構成したことを特徴とする万年カレンダー。
【請求項２】
上記ベース板（１０）には、暦の土曜日と日曜日を識別するための半透明の色付き短冊状プレート部材（２３）（２４）が、上記ベース板（１０）の上記仕切り板（９）の裏面（９Ｂ）側に上方から差し込んで取着されている請求項１記載の万年カレンダー。
【請求項３】
上記複数の窓部（２２）の内、暦の祝祭日にあたる日を表示する祝祭日用窓部（２２Ｈ）には、半透明の色付きブロック片（２６）が嵌め込まれている請求項１又は２記載の万年カレンダー。
【請求項４】
上記複数の窓部（２２）の内、非使用状態の空き窓部（２２Ａ）には、隠しブロック片（２７）が嵌め込まれている請求項１，２又は３記載の万年カレンダー。
【請求項５】
７つの曜日用凹部（２１）を有すると共に該曜日用凹部（２１）の下方位置に複数の窓部（２２）が形成された仕切り板（１９）を有し、１から３１までの数字が表記された鋼板（１８）を上記仕切り板（１９）の裏面側に取付けて上記複数の窓部（２２）に上記数字を表示させるように構成したベース板（２０）を備え、該ベース板（２０）の上記曜日用凹部（２１）に嵌め込んで交換自在に取着される第１〜第７の曜日表示ブロック片（１１）（１２）（１３）（１４）（１５）（１６）（１７）を具備し、
上記複数の窓部（２２）に表示された数字が暦に対応するように、上記第１〜第７曜日表示ブロック片（１１）（１２）（１３）（１４）（１５）（１６）（１７）を上記曜日用凹部（２１）に嵌め込んで取着したことを特徴とする万年カレンダー。
【発明の詳細な説明】
【技術分野】
【０００１】
本発明は、万年カレンダーに関する。
【背景技術】
【０００２】
従来、ベース板に形成された３５個の凹所に、１乃至３１の数字を表記した日用駒を１つずつ嵌め込んで暦を表示する万年カレンダーが提案されている（特許文献１参照）。
【先行技術文献】
【特許文献】
【０００３】
【特許文献１】特開２００６−２１８７７９号公報
【発明の概要】
【発明が解決しようとする課題】
【０００４】
しかし、従来の万年カレンダーは、２８個〜３１個の日用駒を、月次の暦に対応させて凹所に当てはめていく作業が非常に面倒であった。また、ベース板が揺動したり衝撃が加わったりすると、凹所に嵌め込んだ日用駒が落下してしまう虞れがあり、二度手間、三度手間となって、効率が悪いという欠点があった。
【０００５】
そこで、本発明は、従来の問題点を解決するための使い勝手の良い万年カレンダーを提供することを目的とする。
【課題を解決するための手段】
【０００６】
本発明に係る万年カレンダーは、７つの曜日を表示する曜日表示部を有すると共に該曜日表示部の下方位置に複数の窓部が形成された仕切り板を有するベース板を備え、該ベース板の上記仕切り板の裏面側に上方から差し込んで取着される第１〜第７の短冊状日付表示部材を具備し、該第１〜第７日付表示部材に１から３１までの数字から公差が７と成る数字を取り出して等差数列を成すように並べた７種類の数字群が表記され、かつ、上記ベース板に上記第１〜第７日付表示部材を上方から差し込むことで該数字群を暦に対応させて上記曜日表示部の下方の上記窓部に表示するように構成したものである。
【０００７】
また、上記ベース板には、暦の土曜日と日曜日を識別するための半透明の色付き短冊状プレート部材が、上記ベース板の上記仕切り板の裏面側に上方から差し込んで取着されているものである。
また、上記複数の窓部の内、暦の祝祭日にあたる日を表示する祝祭日用窓部には、半透明の色付きブロック片が嵌め込まれているものである。
また、上記複数の窓部の内、非使用状態の空き窓部には、隠しブロック片が嵌め込まれているものである。
【０００８】
また、７つの曜日用凹部を有すると共に該曜日用凹部の下方位置に複数の窓部が形成された仕切り板を有し、１から３１までの数字が表記された鋼板を上記仕切り板の裏面側に取付けて上記複数の窓部に上記数字を表示させるように構成したベース板を備え、該ベース板の上記曜日用凹部に嵌め込んで交換自在に取着される第１〜第７の曜日表示ブロック片を具備し、上記複数の窓部に表示された数字が暦に対応するように、上記第１〜第７曜日表示ブロック片を上記曜日用凹部に嵌め込んで取着したものである。
【発明の効果】
【０００９】
本発明の万年カレンダーによれば、第１〜第７日付表示部材を月次の曜日に対応させてベース板の上方から差し込むことで、簡単に日付を表示することができる。また、第１〜第７日付表示部材がベース板に上方から差し込まれているため、確実に保持されて落下の虞れがなく、月次の日付を曜日に対応させる簡単な作業を月に１回行えば足り、至便である。
【００１０】
また、本発明の万年カレンダーによれば、窓部に表示された数字を暦に対応させてベース板の曜日用凹部に第１〜第７の曜日表示ブロック片を嵌め込むことで、簡単に曜日を表示することができる。
【図面の簡単な説明】
【００１１】
【図１】本発明の実施の一形態を示した正面図である。
【図２】本発明の実施の一形態を示した正面図である。
【図３】図１のＺ−Ｚ断面図である。
【図４】色付き短冊状プレート部材を示した斜視図である。
【図５】色付きブロック片を示した斜視図である。
【図６】隠しブロック片を示した斜視図である。
【図７】隠しブロック片を示した正面図である。
【図８】隠しブロック片を示した断面平面図である。
【図９】本発明の他の実施形態を示した正面図である。
【発明を実施するための形態】
【００１２】
以下、実施の形態を示す図面に基づき本発明を詳説する。
図１〜図３に示すように、本発明の万年カレンダーは、７つの曜日を表示する曜日表示部８を有すると共に曜日表示部８の下方位置に複数の窓部２２が形成された仕切り板９を有するベース板１０を備えている。本発明の万年カレンダーは、このベース板１０の仕切り板９の裏面９Ｂ側に上方から差し込んで取着される第１〜第７の短冊状日付表示部材１，２，３，４，５，６，７を具備し、第１〜第７日付表示部材１，２，３，４，５，６，７に１から３１までの数字から公差が７と成る数字を取り出して等差数列を成すように並べた７種類の数字群Ｓが表記されている。そして、ベース板１０に第１〜第７日付表示部材１，２，３，４，５，６，７を上方から差し込むことで数字群Ｓを暦に対応させて曜日表示部８の下方の窓部２２に表示するように構成している。
【００１３】
具体的に説明すると、第１〜第７日付表示部材１，２，３，４，５，６，７は、全て縦長の短冊状（帯板状）鋼板から成り、その上端縁部は断面倒立Ｌ字状に折曲げられている。
第１日付表示部材１には、「１  ８  １５  ２２  ２９」の５つの数字から成る第１の数字群Ｓ１が、上下方向に順次並べて表記されている。
第２日付表示部材２には、「２  ９  １６  ２３  ３０」の５つの数字から成る第２の数字群Ｓ２が、上下方向に順次並べて表記されている。
第３日付表示部材３には、「３  １０  １７  ２４  ３１」の５つの数字から成る第３の数字群Ｓ３が、上下方向に順次並べて表記されている。
第４日付表示部材４には、「４  １１  １８  ２５」の４つの数字から成る第４の数字群Ｓ４が、上下方向に順次並べて表記されている。
第５日付表示部材５には、「５  １２  １９  ２６」の４つの数字から成る第５の数字群Ｓ５が、上下方向に順次並べて表記されている。
第６日付表示部材６には、「６  １３  ２０  ２７」の４つの数字から成る第６の数字群Ｓ６が、上下方向に順次並べて表記されている。
第７日付表示部材７には、「７  １４  ２１  ２８」の４つの数字から成る第７の数字群Ｓ７が、上下方向に順次並べて表記されている。
【００１４】
仕切り板９は、合成樹脂から成り、「日」「月」「火」「水」「木」「金」「土」の７つの曜日が表記された７個のブロック片を左右方向に並べて固着して曜日表示部８が形成されている。仕切り板９は、曜日表示部８より上方であり且つ左右方向の中央位置に、月表示部３０を有し、曜日表示部８の下方位置に、複数の窓部２２が格子状に並べて形成されている。月表示部３０は、仕切り板９に貫設された開口部３１と、開口部３１の上下方向に架設した保持片３２，３２と、保持片３２，３２に左右方向スライド自在に保持される月表示用プレート３３と、を有している。
ベース板１０は、仕切り板９の裏面９Ｂ側に、鋼板から成る裏板２５を、所定の間隔ｇをもって取付けている。さらに、ベース板１０は、仕切り板９の外周端縁に取り付けたフレーム３５を有している。
【００１５】
ベース板１０には、暦の土曜日と日曜日を識別するための半透明の色付き短冊状プレート部材２３，２４が、ベース板１０の仕切り板９の裏面９Ｂ側に上方から差し込んで取着されている。
図４に示すように、色付き短冊状プレート部材２３，２４は、色の相違する２種類から成り、青系半透明の合成樹脂から成る土曜日用色付き短冊状プレート部材２３と、赤系半透明の合成樹脂から成る日曜日用色付き短冊状プレート部材２４とを、具備している。色付き短冊状プレート部材２３，２４は、第１〜第７日付表示部材１，２，３，４，５，６，７の表て面側に重ねられた状態で仕切り板９の裏面９Ｂと裏板２５の間に差し込まれており、正面から見て、第１〜第７日付表示部材１，２，３，４，５，６，７に表記された数字が透けて見えるように構成されている。
【００１６】
複数の窓部２２の内、暦の祝祭日にあたる日を表示する祝祭日用窓部２２Ｈには、半透明の色付きブロック片２６が嵌め込まれている。
図５に示すように、色付きブロック片２６は、赤系半透明の合成樹脂から成る。色付きブロック片２６は、内部にマグネット４０を有している。色付きブロック片２６の裏面２６Ｂには、傾斜面部４１が形成されている。色付きブロック片２６は、祝祭日用窓部２２Ｈに嵌込まれて、マグネット４０の磁力により鋼板（第１〜第７日付表示部材１，２，３，４，５，６，７又は裏板２５）に吸い付いている。また、色付きブロック片２６が窓部２２（祝祭日用窓部２２Ｈ）に嵌込まれた状態で、正面から見て、第１〜第７日付表示部材１，２，３，４，５，６，７に表記された数字が透けて見えるように構成されている。また、窓部２２（祝祭日用窓部２２Ｈ）に嵌込まれた色付きブロック片２６の一端を押圧すると、色付きブロック片２６が窓部２２内で傾いて傾斜面部４１が鋼板に当接すると共に、マグネット４０が鋼板から引き離される。この構成によって、色付きブロック片２６は、窓部２２（祝祭日用窓部２２Ｈ）からの取付け・取外しが容易となっている。
【００１７】
複数の窓部２２の内、非使用状態の空き窓部２２Ａには、隠しブロック片２７が嵌め込まれている。
図６〜図８に示すように、隠しブロック片２７は、仕切り板９と同系色の合成樹脂から成り、裏面２７Ｂ側にマグネット４４を有している。隠しブロック片２７の裏面２７Ｂには、傾斜面部４１が形成されている。隠しブロック片２７は、空き窓部２２Ａに嵌込まれて、マグネット４４の磁力により鋼板（第１〜第７日付表示部材１，２，３，４，５，６，７又は裏板２５）に吸い付いている。隠しブロック片２７が窓部２２（空き窓部２２Ａ）に嵌込まれた状態で、正面から見て、第１〜第７日付表示部材１，２，３，４，５，６，７に表記された数字が透けて見えないように構成されている。また、窓部２２（空き窓部２２Ａ）に嵌込まれた隠しブロック片２７の一端を押圧すると、隠しブロック片２７が窓部２２内で傾いて傾斜面部４１が鋼板に当接すると共に、マグネット４４が鋼板から引き離される。この構成によって、隠しブロック片２７は、窓部２２（空き窓部２２Ａ）からの取付け・取外しが容易となっている。
【００１８】
次に、本発明の他の実施形態を説明する。
図９に示すように、本発明の万年カレンダーは、７つの曜日用凹部２１を有すると共に曜日用凹部２１の下方位置に複数の窓部２２が形成された仕切り板１９を有し、１から３１までの数字が表記された鋼板１８を仕切り板１９の裏面側に取付けて複数の窓部２２に数字を表示させるように構成したベース板２０を備えている。本発明の万年カレンダーは、ベース板２０の曜日用凹部２１に嵌め込んで交換自在に取着される第１〜第７の曜日表示ブロック片１１，１２，１３，１４，１５，１６，１７を具備し、複数の窓部２２に表示された数字が暦に対応するように、第１〜第７曜日表示ブロック片１１，１２，１３，１４，１５，１６，１７を曜日用凹部２１に嵌め込んで取着している。
【００１９】
第１〜第７曜日表示ブロック片１１，１２，１３，１４，１５，１６，１７は、図６〜図８に示す隠しブロック片２７とほぼ同一形状に形成されて、その裏面には傾斜面部４１が形成されている。第１〜第７曜日表示ブロック片１１，１２，１３，１４，１５，１６，１７の各々に、マグネットが埋設されている。第１〜第７曜日表示ブロック片１１，１２，１３，１４，１５，１６，１７は、曜日用凹部２１に嵌込まれてマグネットの磁力により鋼板１８に吸い付いている。曜日用凹部２１に嵌込まれた第１〜第７曜日表示ブロック片１１，１２，１３，１４，１５，１６，１７の一端を押圧すると、第１〜第７曜日表示ブロック片１１，１２，１３，１４，１５，１６，１７が曜日用凹部２１内で傾いて傾斜面部４１が鋼板１８に当接すると共に、マグネットが鋼板から引き離される。この構成によって、第１〜第７曜日表示ブロック片１１，１２，１３，１４，１５，１６，１７は、曜日用凹部２１からの容易に取付け・取外しができるように構成されている。
第１曜日表示ブロック片１１には、「日」の文字が表記されている。
第２曜日表示ブロック片１２には、「月」の文字が表記されている。
第３曜日表示ブロック片１３には、「火」の文字が表記されている。
第４曜日表示ブロック片１４には、「水」の文字が表記されている。
第５曜日表示ブロック片１５には、「木」の文字が表記されている。
第６曜日表示ブロック片１６には、「金」の文字が表記されている。
第７曜日表示ブロック片１７には、「土」の文字が表記されている。
【００２０】
仕切り板９は、合成樹脂から成り、曜日用凹部２１より上方であり且つ左右方向の中央位置に、月表示部３０を有し、曜日用凹部２１の下方位置に、複数の窓部２２が格子状に並べて形成されている。月表示部３０は、仕切り板９に貫設された開口部３１と、開口部３１の上下方向に架設した保持片３２，３２と、保持片３２，３２に左右方向スライド自在に保持される月表示用プレート３３と、を有している。
ベース板２０は、仕切り板１９の裏面側に、鋼板１８を取付けている。鋼板１８は、７つの曜日用凹部２１の全て、及び、全ての窓部２２を裏側から覆うように取付けられている。さらに、ベース板２０は、仕切り板１９の外周端縁に取り付けたフレーム３５を有している。
【００２１】
ベース板２０には、暦の土曜日と日曜日を識別するための半透明の色付き短冊状プレート部材２３，２４が、ベース板２０の仕切り板１９の裏面側に上方から差し込んで取着されている。
図４に示すように、色付き短冊状プレート部材２３，２４は、色の相違する２種類から成り、青系半透明の合成樹脂から成る土曜日用色付き短冊状プレート部材２３と、赤系半透明の合成樹脂から成る日曜日用色付き短冊状プレート部材２４と、を具備している。
色付き短冊状プレート部材２３，２４は、仕切り板１９と鋼板１８の間に差し込まれており、正面から見て、鋼板１８に表記された数字が透けて見えるように構成されている。
【００２２】
複数の窓部２２の内、暦の祝祭日にあたる日を表示する祝祭日用窓部２２Ｈには、半透明の色付きブロック片２６が嵌め込まれている。
図５に示すように、色付きブロック片２６は、赤系半透明の合成樹脂から成る。色付きブロック片２６は、内部にマグネット４０を有している。色付きブロック片２６の裏面２６Ｂには、傾斜面部４１が形成されている。色付きブロック片２６は、祝祭日用窓部２２Ｈに嵌込まれて、マグネット４０の磁力により鋼板１８に吸い付いている。また、色付きブロック片２６が窓部２２（祝祭日用窓部２２Ｈ）に嵌込まれた状態で、正面から見て、鋼板１８に表記された数字が透けて見えるように構成されている。また、窓部２２（祝祭日用窓部２２Ｈ）に嵌込まれた色付きブロック片２６の一端を押圧すると、色付きブロック片２６が窓部２２内で傾いて傾斜面部４１が鋼板１８に当接すると共に、マグネット４０が鋼板１８から引き離される。この構成によって、色付きブロック片２６は、窓部２２（祝祭日用窓部２２Ｈ）からの取付け・取外しが容易となっている。
【００２３】
複数の窓部２２の内、非使用状態の空き窓部２２Ａには、隠しブロック片２７が嵌め込まれている。
図６〜図８に示すように、隠しブロック片２７は、仕切り板９と同系色の合成樹脂から成り、裏面２７Ｂ側にマグネット４４を有している。隠しブロック片２７の裏面２７Ｂには、傾斜面部４１が形成されている。隠しブロック片２７は、空き窓部２２Ａに嵌込まれて、マグネット４４の磁力により鋼板１８に吸い付いている。隠しブロック片２７が窓部２２（空き窓部２２Ａ）に嵌込まれた状態で、正面から見て、鋼板１８に表記された数字が透けて見えないように構成されている。また、窓部２２（空き窓部２２Ａ）に嵌込まれた隠しブロック片２７の一端を押圧すると、隠しブロック片２７が窓部２２内で傾いて傾斜面部４１が鋼板に当接すると共に、マグネット４４が鋼板から引き離される。この構成によって、隠しブロック片２７は、窓部２２（空き窓部２２Ａ）からの取付け・取外しが容易となっている。
【００２４】
なお、本発明は、設計変更可能であって、例えば、仕切り板９，１９とフレーム３５、隠しブロック片２７、あるいは、第１〜第７曜日表示ブロック片１１，１２，１３，１４，１５，１６，１７については、木製であって良い。また、月表示部３０は、凹所に月表示用ブロック片を嵌め込んでマグネットの磁力により取着するものであって良い。
【００２５】
以上のように、本発明に係る万年カレンダーは、７つの曜日を表示する曜日表示部８を有すると共に曜日表示部８の下方位置に複数の窓部２２が形成された仕切り板９を有するベース板１０を備え、ベース板１０の仕切り板９の裏面９Ｂ側に上方から差し込んで取着される第１〜第７の短冊状日付表示部材１，２，３，４，５，６，７を具備し、第１〜第７日付表示部材１，２，３，４，５，６，７に１から３１までの数字から公差が７と成る数字を取り出して等差数列を成すように並べた７種類の数字群Ｓが表記され、かつ、ベース板１０に第１〜第７日付表示部材１，２，３，４，５，６，７を上方から差し込むことで数字群Ｓを暦に対応させて曜日表示部８の下方の窓部２２に表示するように構成したので、第１〜第７日付表示部材１，２，３，４，５，６，７を月次の曜日に対応させてベース板１０の上方から差し込むことで、簡単に日付を表示することができる。また、第１〜第７日付表示部材１，２，３，４，５，６，７がベース板１０に上方から差し込まれているため、確実に保持されて落下の虞れがなく、月次の日付を曜日に対応させる簡単な作業を月に１回行えば足り、至便である。
【００２６】
また、ベース板１０には、暦の土曜日と日曜日を識別するための半透明の色付き短冊状プレート部材２３，２４が、ベース板１０の仕切り板９の裏面９Ｂ側に上方から差し込んで取着されているので、平日と休日を色分けして表示でき、使用者が見易く使い勝手が良い。色付き短冊状プレート部材２３，２４がベース板１０に確実に保持されて、外れる危険性が極めて少ない。
【００２７】
また、複数の窓部２２の内、暦の祝祭日にあたる日を表示する祝祭日用窓部２２Ｈには、半透明の色付きブロック片２６が嵌め込まれているので、祝祭日を色分けして表示でき、使用者が見易く使い勝手が良い。
【００２８】
また、複数の窓部２２の内、非使用状態の空き窓部２２Ａには、隠しブロック片２７が嵌め込まれているので、例えば、月によって３０日や３１日が存在しない場合に、隠しブロック片２７により、その数字を隠しておくことができ、使用者が見易く使い勝手が良い。また、数字が表示されていない空き窓部２２Ａから鋼板が覗いて見えるのを防止でき、美観的に優秀な万年カレンダーが得られる。
【００２９】
また、７つの曜日用凹部２１を有すると共に曜日用凹部２１の下方位置に複数の窓部２２が形成された仕切り板１９を有し、１から３１までの数字が表記された鋼板１８を仕切り板１９の裏面側に取付けて複数の窓部２２に数字を表示させるように構成したベース板２０を備え、ベース板２０の曜日用凹部２１に嵌め込んで交換自在に取着される第１〜第７の曜日表示ブロック片１１，１２，１３，１４，１５，１６，１７を具備し、複数の窓部２２に表示された数字が暦に対応するように、第１〜第７曜日表示ブロック片１１，１２，１３，１４，１５，１６，１７を曜日用凹部２１に嵌め込んで取着したので、窓部２２に表示された数字を暦に対応させてベース板２０の曜日用凹部２１に第１〜第７の曜日表示ブロック片１１，１２，１３，１４，１５，１６，１７を嵌め込むことで、簡単に曜日を表示することができる。窓部２２に対して第１〜第７の曜日表示ブロック片１１，１２，１３，１４，１５，１６，１７が容易に着脱できるように構成されているため、作業に手間が掛からず便利である。
【符号の説明】
【００３０】
１  第１日付表示部材
２  第２日付表示部材
３  第３日付表示部材
４  第４日付表示部材
５  第５日付表示部材
６  第６日付表示部材
７  第７日付表示部材
８  曜日表示部
９  仕切り板
９Ｂ  裏面
１０  ベース板
１１  第１曜日表示ブロック片
１２  第２曜日表示ブロック片
１３  第３曜日表示ブロック片
１４  第４曜日表示ブロック片
１５  第５曜日表示ブロック片
１６  第６曜日表示ブロック片
１７  第７曜日表示ブロック片
１８  鋼板
１９  仕切り板
２０  ベース板
２１  曜日用凹部
２２  窓部
２２Ｈ  祝祭日用窓部
２２Ａ  空き窓部
２３  色付き短冊状プレート部材
２４  色付き短冊状プレート部材
２６  色付きブロック片
２７  隠しブロック片
Ｓ  数字群
【図１】
2013180415.tif 000003
【図２】
2013180415.tif 000004
【図３】
2013180415.tif 000005
【図４】
2013180415.tif 000006
【図５】
2013180415.tif 000007
【図６】
2013180415.tif 000008
【図７】
2013180415.tif 000009
【図８】
2013180415.tif 000010
【図９】
2013180415.tif 000011